【手続補正書】
【提出日】平成19年3月1日(2007.3.1)
【手続補正１】
【補正対象書類名】明細書
【補正対象項目名】特許請求の範囲
【補正方法】変更
【補正の内容】
【特許請求の範囲】
【請求項１】
未定着トナー画像が形成された記録材を、該記録材の未定着トナー画像担持面側である記録材表面側に対応する第１の回転体と、未定着トナー画像担持面側とは反対面側である記録材裏面側に対応する第２の回転体との圧接で形成される定着ニップ部に導入して挟持搬送させることにより、未定着トナー画像を記録材上に加熱定着させる加熱定着装置であり、
記録材が定着ニップ部を通過中には、記録材表面側に対応する第１の回転体にはトナーと同極性の直流電圧を印加し、記録材裏面側に対応する第２の回転体にはトナーと逆極性の直流電圧を印加する構成を有し、
第１と第２の回転体に対して直流電圧の印加を開始し始めるタイミングは、定着ニップ部に導入される記録材の先端部が定着ニップ部に到達する前の時点で第１と第２の一方の回転体に印加を開始し始め、これとは時間差をつけて記録材の先端部が定着ニップ部に到達するまでには他方の回転体にも印加を開始し始めるものであり、記録材が定着ニップ部に挟持搬送されたタイミングでは、第１と第２の回転体にはそれぞれに直流電圧が印加されていることを特徴とする加熱定着装置。
【請求項２】
未定着トナー画像が形成された記録材を、該記録材の未定着トナー画像担持面側である記録材表面側に対応する第１の回転体と、未定着トナー画像担持面側とは反対面側である記録材裏面側に対応する第２の回転体との圧接で形成される定着ニップ部に導入して挟持搬送させることにより、未定着トナー画像を記録材上に加熱定着させる加熱定着装置であり、
記録材が定着ニップ部を通過中には、記録材表面側に対応する第１の回転体にはトナーと同極性の直流電圧を印加し、記録材裏面側に対応する第２の回転体にはトナーと逆極性の直流電圧を印加する構成を有し、
第１と第２の回転体に対する直流電圧の印加は、定着尾引きを抑止するために印加される直流電圧値より小さな電圧値から複数段階の電圧値を経て大きい方へ変更されて、記録材が定着ニップ部に挟持搬送されたタイミングでは、第１と第２の回転体にはそれぞれに定着尾引きを抑止するために印加される直流電圧値が印加されていることを特徴とする加熱定着装置。
【請求項３】
未定着トナー画像が形成された記録材を、該記録材の未定着トナー画像担持面側である記録材表面側に対応する第１の回転体と、未定着トナー画像担持面側とは反対面側である記録材裏面側に対応する第２の回転体との圧接で形成される定着ニップ部に導入して挟持搬送させることにより、未定着トナー画像を記録材上に加熱定着させる加熱定着装置であり、
記録材が定着ニップ部を通過中には、記録材表面側に対応する第１の回転体にはトナーと同極性の直流電圧を印加し、記録材裏面側に対応する第２の回転体にはトナーと逆極性の直流電圧を印加する構成を有し、
第１と第２の回転体に対して直流電圧の印加を開始し始めるタイミングは、定着ニップ部に導入される記録材の先端部が定着ニップ部に到達する前の時点で第１と第２の一方の回転体に印加を開始し始め、これとは時間差をつけて記録材の先端部が定着ニップ部に到達するまでには他方の回転体にも印加を開始し始めるものであり、
かつ第１と第２の回転体に対する直流電圧の印加は、定着尾引きを抑止するために印加される直流電圧値より小さな電圧値から複数段階の電圧値を経て大きい方へ変更されて、記録材が定着ニップ部に挟持搬送されたタイミングでは、第１と第２の回転体にはそれぞれに定着尾引きを抑止するために印加される直流電圧値が印加されているを特徴とする加熱定着装置。
【請求項４】
前記の定着ニップ部よりも記録材搬送方向下流側には記録材裏面側と接触する電極部材が設けられており、該電極部材は、電気的に接地されている構成、若しくは、記録材裏面側に対応する第２の回転体に印加されている直流電圧と同極性の直流電圧が印加される構成、の何れかであることを特徴とする請求項１〜３の何れかに記載の加熱定着装置。
【請求項５】
前記の電極部材が導電性のブラシであることを特徴とする請求項４に記載の加熱定着装置。
【請求項６】
前記の定着ニップ部よりも記録材搬送方向下流側には記録材搬送保持部材としてのローラ対が設けてあり、該ローラ対の記録材裏面と接触するローラは電気的に導電性が付与されたものであり、電気的に接地状態にある構成であることを特徴とする請求項１〜５の何れかに記載の加熱定着装置。
【請求項７】
記録材表面側に対応する第１の回転体は、少なくとも、基材となる基層、離型層としての表層、基層と離型層との間の接着層から形成された、可撓性を有する中空回転体から構成されており、該中空回転体内面に内接する加熱部材で加熱され、該回転体に対する直流電圧の印加は前記の接着層を介してなされるものであることを特徴とする請求項１〜６の何れかに記載の加熱定着装置。
【請求項８】
記録材裏面側に対応する第２の回転体は、中心から外側に向かって、金属製の芯金、弾性層としてのゴム層、離型層としての表層、から構成されており、該回転体に対する直流電圧の印加は、芯金を介して、若しくは、表層に直接、なされるものであることを特徴とする請求項１〜７の何れかに記載の加熱定着装置。
【請求項９】
記録材に未定着トナー画像を形成する作像手段と、未定着トナー画像を記録材上に加熱定着させる加熱定着手段を有する画像形成装置において、
前記の加熱定着手段は請求項１〜８の何れかに記載の加熱定着装置であることを特徴とする画像形成装置。
【手続補正２】
【補正対象書類名】明細書
【補正対象項目名】００４２
【補正方法】変更
【補正の内容】
【００４２】
（１）未定着トナー画像が形成された記録材を、該記録材の未定着トナー画像担持面側である記録材表面側に対応する第１の回転体と、未定着トナー画像担持面側とは反対面側である記録材裏面側に対応する第２の回転体との圧接で形成される定着ニップ部に導入して挟持搬送させることにより、未定着トナー画像を記録材上に加熱定着させる加熱定着装置であり、
記録材が定着ニップ部を通過中には、記録材表面側に対応する第１の回転体にはトナーと同極性の直流電圧を印加し、記録材裏面側に対応する第２の回転体にはトナーと逆極性の直流電圧を印加する構成を有し、
第１と第２の回転体に対して直流電圧の印加を開始し始めるタイミングは、定着ニップ部に導入される記録材の先端部が定着ニップ部に到達する前の時点で第１と第２の一方の回転体に印加を開始し始め、これとは時間差をつけて記録材の先端部が定着ニップ部に到達するまでには他方の回転体にも印加を開始し始めるものであり、記録材が定着ニップ部に挟持搬送されたタイミングでは、第１と第２の回転体にはそれぞれに直流電圧が印加されていることを特徴とする加熱定着装置。
【手続補正３】
【補正対象書類名】明細書
【補正対象項目名】００４３
【補正方法】削除
【補正の内容】
【手続補正４】
【補正対象書類名】明細書
【補正対象項目名】００４４
【補正方法】変更
【補正の内容】
【００４４】
（２）  未定着トナー画像が形成された記録材を、該記録材の未定着トナー画像担持面側である記録材表面側に対応する第１の回転体と、未定着トナー画像担持面側とは反対面側である記録材裏面側に対応する第２の回転体との圧接で形成される定着ニップ部に導入して挟持搬送させることにより、未定着トナー画像を記録材上に加熱定着させる加熱定着装置であり、
記録材が定着ニップ部を通過中には、記録材表面側に対応する第１の回転体にはトナーと同極性の直流電圧を印加し、記録材裏面側に対応する第２の回転体にはトナーと逆極性の直流電圧を印加する構成を有し、
第１と第２の回転体に対する直流電圧の印加は、定着尾引きを抑止するために印加される直流電圧値より小さな電圧値から複数段階の電圧値を経て大きい方へ変更されて、記録材が定着ニップ部に挟持搬送されたタイミングでは、第１と第２の回転体にはそれぞれに定着尾引きを抑止するために印加される直流電圧値が印加されていることを特徴とする加熱定着装置。
【手続補正５】
【補正対象書類名】明細書
【補正対象項目名】００４５
【補正方法】変更
【補正の内容】
【００４５】
（３）  未定着トナー画像が形成された記録材を、該記録材の未定着トナー画像担持面側である記録材表面側に対応する第１の回転体と、未定着トナー画像担持面側とは反対面側である記録材裏面側に対応する第２の回転体との圧接で形成される定着ニップ部に導入して挟持搬送させることにより、未定着トナー画像を記録材上に加熱定着させる加熱定着装置であり、
記録材が定着ニップ部を通過中には、記録材表面側に対応する第１の回転体にはトナーと同極性の直流電圧を印加し、記録材裏面側に対応する第２の回転体にはトナーと逆極性の直流電圧を印加する構成を有し、
第１と第２の回転体に対して直流電圧の印加を開始し始めるタイミングは、定着ニップ部に導入される記録材の先端部が定着ニップ部に到達する前の時点で第１と第２の一方の回転体に印加を開始し始め、これとは時間差をつけて記録材の先端部が定着ニップ部に到達するまでには他方の回転体にも印加を開始し始めるものであり、
かつ第１と第２の回転体に対する直流電圧の印加は、定着尾引きを抑止するために印加される直流電圧値より小さな電圧値から複数段階の電圧値を経て大きい方へ変更されて、記録材が定着ニップ部に挟持搬送されたタイミングでは、第１と第２の回転体にはそれぞれに定着尾引きを抑止するために印加される直流電圧値が印加されているを特徴とする加熱定着装置。
【手続補正６】
【補正対象書類名】明細書
【補正対象項目名】００４６
【補正方法】削除
【補正の内容】
【手続補正７】
【補正対象書類名】明細書
【補正対象項目名】００４７
【補正方法】削除
【補正の内容】
【手続補正８】
【補正対象書類名】明細書
【補正対象項目名】００４８
【補正方法】変更
【補正の内容】
【００４８】
（４）前記の定着ニップ部よりも記録材搬送方向下流側には記録材裏面側と接触する電極部材が設けられており、該電極部材は、電気的に接地されている構成、若しくは、記録材裏面側に対応する第２の回転体に印加されている直流電圧と同極性の直流電圧が印加される構成、の何れかであることを特徴とする（１）〜（３）の何れかに記載の加熱定着装置。
【手続補正９】
【補正対象書類名】明細書
【補正対象項目名】００４９
【補正方法】変更
【補正の内容】
【００４９】
（５）前記の電極部材が導電性のブラシであることを特徴とする（４）に記載の加熱定着装置。
【手続補正１０】
【補正対象書類名】明細書
【補正対象項目名】００５０
【補正方法】変更
【補正の内容】
【００５０】
（６）前記の定着ニップ部よりも記録材搬送方向下流側には記録材搬送保持部材としてのローラ対が設けてあり、該ローラ対の記録材裏面と接触するローラは電気的に導電性が付与されたものであり、電気的に接地状態にある構成であることを特徴とする（１）〜（５）の何れかに記載の加熱定着装置。
【手続補正１１】
【補正対象書類名】明細書
【補正対象項目名】００５１
【補正方法】変更
【補正の内容】
【００５１】
（７）記録材表面側に対応する第１の回転体は、少なくとも、基材となる基層、離型層としての表層、基層と離型層との間の接着層から形成された、可撓性を有する中空回転体から構成されており、該中空回転体内面に内接する加熱部材で加熱され、該回転体に対する直流電圧の印加は前記の接着層を介してなされるものであることを特徴とする（１）〜（６）の何れかに記載の加熱定着装置。
【手続補正１２】
【補正対象書類名】明細書
【補正対象項目名】００５２
【補正方法】変更
【補正の内容】
【００５２】
（８）記録材裏面側に対応する第２の回転体は、中心から外側に向かって、金属製の芯金、弾性層としてのゴム層、離型層としての表層、から構成されており、該回転体に対する直流電圧の印加は、芯金を介して、若しくは、表層に直接、なされるものであることを特徴とする（１）〜（７）の何れかに記載の加熱定着装置。
【手続補正１３】
【補正対象書類名】明細書
【補正対象項目名】００５３
【補正方法】変更
【補正の内容】
【００５３】
（９）記録材に未定着トナー画像を形成する作像手段と、未定着トナー画像を記録材上に加熱定着させる加熱定着手段を有する画像形成装置において、
前記の加熱定着手段は（１）〜（８）の何れかに記載の加熱定着装置であることを特徴とする画像形成装置。
【手続補正１４】
【補正対象書類名】明細書
【補正対象項目名】００８６
【補正方法】変更
【補正の内容】
【００８６】
この定着フィルム１１は、前述したように、フィルム基層１０ａ、プライマー層１０ｂ、離型層１０ｃの３層構成で構成されており、フィルム基層１０ａ側がヒータ１１側であり、離型層１０ｃ側が加圧ローラ２０側である。フィルム基層１０ａはヒータ１１の後述するガラス保護層１１ｃより絶縁性の高いポリイミド、ポリアミドイミド、ＰＥＥＫ等であり、耐熱性、高弾性を有しており、可撓性のある厚み２５〜６５μｍ程度の樹脂フィルムとして形成されている。また、フィルム基層１０ａにより定着フィルム全体の引裂強度等の機械的強度を保っている。プライマー層１０ｂは厚み２〜６μｍ程度の薄い層で形成されており、定着フィルム１０の帯電防止として、電気的な導電路となるように、カーボンや酸化金属などを分散させ導電性を付与した、導電性プライマー層とするのが一般的である。離型層１０ｃは定着フィルムにトナーが付着するトナーオフセット防止層であり、ＰＦＡ、ＰＴＦＥ、ＦＥＰ等のフッ素樹脂を厚み１０μｍ程度に被覆し形成してある。離型層１０ｃも定着フィルム表層の帯電を軽減し、電子写真ではひろく知られる静電オフセットなどの現象を防止するため、離型性中にもカーボンや酸化金属などを分散させ導電性を付与しているのが一般的である。
【手続補正１５】
【補正対象書類名】明細書
【補正対象項目名】００８９
【補正方法】変更
【補正の内容】
【００８９】
さらにオフセット防止や記録材の分離性を確保するために離型層（表層）１０ｃにはＰＦＡ（テトラフルオロエチレン  パーフルオロアルキルビニルエーテル共重合体）、ＰＴＦＥ（ポリテトラフルオロエチレン）、ＦＥＰ（テトラフルオロエチレン  ヘキサフルオロプロピレン共重合体）、等の離型性の良好なフッ素樹脂を混合ないし単独でコーティング、または、被覆したものである。
【手続補正１６】
【補正対象書類名】明細書
【補正対象項目名】０１０６
【補正方法】変更
【補正の内容】
【０１０６】
そこで、定着尾引きやオフセットを抑止するために形成している電界を打ち消す向きに生じる逆向きの電界の強さを小さくするために、定着バイアスで形成する電位差の変化量を小さく抑え、その電位差に応じて発生する電界の強さを小さくすることで、逆向きに発生する電界も弱くなるように、定着回転体の間に形成する電位差をコントロールするのが本発明の主旨である。